(57)【要約】【課題】  撮影室内に犬、猫等の動物又は幼児を入れても、動物又は幼児が飼い主又は親を見ることができるので、動物又は幼児に安心感を与え、落ち着いたいい表情の写真を撮ることができるプリント装置を提供する。【解決手段】  プリント装置１の装置本体２には、撮影室１０と操作台６０が設けられている。撮影室１０には、被写体Ａを撮影する撮影機４０が設けられている。操作台６０には、撮影機４０を操作する操作部６２と、撮影された被写体Ａの画像を表示する表示部６２と、被写体Ａの画像をプリントアウトする印刷部５０が設けられている。装置本体２には、撮影室１０内の被写体Ａが外側にいる飼い主Ｍの顔を視認することができる窓４５が形成されている。【選択図】        図２
2007212573.tif 000002
【特許請求の範囲】
【請求項１】
下記の要件を備えたことを特徴とするプリント装置。
（イ）装置本体は、内部に撮影室が設けられ、外部に操作台が設けられていること。
（ロ）撮影室には、被写体を撮影する撮影機が設けられていること。
（ハ）操作台には、撮影機を操作する操作部と、撮影機で撮影された被写体の画像を表示する表示部と、被写体の画像をプリントアウトする印刷部が設けられていること。
（ニ）装置本体には、撮影室内の被写体が外側にいる人の顔を視認することができる窓が形成されていること。
【請求項２】
前記窓は、撮影機の上方に形成されていることを特徴とする請求項１記載のプリント装置。
【請求項３】
前記窓には、透過性を有する板状部材が取り付けられていることを特徴とする請求項１又は２記載のプリント装置。
【請求項４】
前記板状部材には、目印が設けられていることを特徴とする請求項３記載のプリント装置。
【請求項５】
前記撮影機近傍には、発声手段が設けられていることを特徴とする請求項１乃至４のいずれか１項に記載のプリント装置。
【発明の詳細な説明】
【技術分野】
【０００１】
本発明は、撮影後に画像をプリントアウトすることができるプリント装置に関し、詳しくは、撮影時に、被写体となる犬、猫等の動物、幼児に安心感を与えることができるプリント装置に関するものである。
【背景技術】
【０００２】
従来のプリント装置は、内部に撮影室が設けられ、外部に操作台が設けられている。撮影室には、動物、幼児等の被写体を撮影する撮影機が設けられている。操作台には、撮影機を操作する操作部と、撮影機で撮影された被写体の画像を表示する表示部と、被写体の画像をプリントアウトする印刷部が設けられている（例えば、特許文献１）。
【特許文献１】特開２００５−３２６８４４号公報
【発明の開示】
【発明が解決しようとする課題】
【０００３】
上記従来のプリント装置は、内部に撮影室が設けられ、外部に操作台が設けられている。撮影室は、密室であるため、内部に被写体である犬、猫等の動物だけを入れると、飼い主が見えなくなるため、不安となり、落ち着かず、撮影室から逃げ出してしまうという問題点があった。同様に、撮影室内に、被写体である幼児だけを入れると、親を見ることができなくなるため、不安となり、泣き出してしまうという問題点があった。
【０００４】
本願発明は、上記問題点に鑑み案出したものであって、撮影室内に被写体である、犬、猫等の動物又は幼児を入れても、動物又は幼児が飼い主又は親の顔を視認することができるので、動物又は幼児に安心感を与え、落ち着いたいい表情の写真を撮ることができるプリント装置を提供することを目的とする。
【課題を解決するための手段】
【０００５】
本願請求項１に係るプリント装置は、上記目的を達成するため、下記の構成を有する。
（イ）装置本体は、内部に撮影室が設けられ、外部に操作台が設けられていること。
（ロ）撮影室には、被写体を撮影する撮影機が設けられていること。
（ハ）操作台には、撮影機を操作する操作部と、撮影機で撮影された被写体の画像を表示する表示部と、被写体の画像をプリントアウトする印刷部が設けられていること。
（ニ）装置本体には、撮影室内の被写体が外側にいる人の顔を視認することができる窓が形成されていること。
【０００６】
本願請求項２に係るプリント装置は、上記目的を達成するため、前記窓は、撮影機の上方に形成されている。
【０００７】
本願請求項３に係るプリント装置は、上記目的を達成するため、前記窓には、透過性を有する板状部材が取り付けられている。
【０００８】
本願請求項４に係るプリント装置は、上記目的を達成するため、前記板状部材には、目印が設けられている。
【０００９】
本願請求項５に係るプリント装置は、上記目的を達成するため、前記撮影機近傍には、発声手段が設けられている。
【発明の効果】
【００１０】
本願発明に係るプリント装置は、被写体となる犬、猫等の動物、幼児が撮影室内に入れられても、窓を通して飼い主、親等の人の顔を視認することができるので、被写体となる犬、猫等の動物、幼児に安心感を与え、落ち着いたいい表情の写真を撮ることができるという効果がある。また、撮影者も、動物や幼児の顔を見ながら撮影できるので、シャッターチャンスを逃さずに撮影することができるという効果がある。さらに、窓が撮影機の上方に形成されていると、動物や幼児の顔を撮影機側に向けさせることができるので、動物や幼児の顔を横からではなく正面から写真に撮ることができるという効果がある。
【００１１】
本願発明に係るプリント装置は、前記窓に透過性を有する板状部材が取り付けられていると、被写体が動物であった場合、飼い主側に向かって窓から飛び出ることを防止することができるという効果がある。なお、板状部材に目印が設けられていると、被写体である動物が窓に激突する虞をなくすことができるという効果がある。また、撮影機近傍に、発声手段が設けられていると、より撮影機側に被写体の注意を引かせることができるという効果がある。
【発明を実施するための最良の形態】
【００１２】
本願発明に係るプリント装置の実施の形態を図１乃至図３に基づいて説明する。図１は、本願発明に係るプリント装置の一つの実施の形態を示す全体斜視図である。図２は、図１のプリント装置の側面断面図である。図３は、図１を別の角度から視たプリント装置の透視斜視図である。
【００１３】
プリント装置１の装置本体２は、内部に撮影室１０が設けられ、外部に操作台６０が設けられている。撮影室１０には、被写体Ａを撮影する撮影機４０が設けられている。操作台６０には、撮影機４０を操作する操作部６２と、撮影機４０で撮影された被写体Ａの画像を表示する表示部６２と、被写体Ａの画像をプリントアウトする印刷部５０が設けられている。装置本体２には、撮影室１０内の被写体Ａが外側にいる人Ｍの顔を視認することができる窓４５が形成されている。
【００１４】
プリント装置１は、被写体Ａとなる犬、猫等の動物、幼児が撮影室１０内に入れられても、窓４５を通して飼い主、親等の人の顔を視認することができるので、被写体Ａとなる犬、猫等の動物、幼児に安心感を与え、落ち着いたいい表情の写真を撮ることができる。また、撮影者Ｍも、窓４５を通して動物や幼児の顔を見ながら撮影できるので、シャッターチャンスを逃さずに撮影することができる。なお、前記窓４５は、撮影機４０の上方に形成されていることが望ましい。窓４５が撮影機４０の上方に形成されていると、被写体Ａとなる動物や幼児の顔を撮影機４０側に向けさせることができるので、動物や幼児の顔を横からではなく正面から写真に撮ることができる。
【００１５】
前記窓４５は、開放されていても構わないが、透過性を有する板状部材４６が取り付けられていても良い。このようにすると、被写体Ａが動物であった場合、飼い主Ｍ側に向かって窓４５から飛び出ることを防止することができる。なお、前記板状部材４６には、目印４７が設けられていることが望ましい。板状部材４６に目印４７が設けられていると、被写体Ａが動物であった場合、被写体Ａが窓４５に激突する虞をなくすことができる。さらに、前記撮影機４０近傍には、発声手段７６が設けられていても良い。撮影機４０近傍に、発声手段７６が設けられていると、より撮影機４０側に被写体Ａの注意を引かせることができる。
【００１６】
さらにプリント装置について詳細に説明する。プリント装置１の装置本体２は、撮影室１０と、操作台６０を有する。撮影室１０は、前壁１１と、後壁１２と、前壁１１の上端と後壁１２の上端に設けられた上壁１３と、前壁１１の右端と後壁１２の右端に設けられた右壁１５と、前壁１１の左端と後壁１２の左端に設けられた左壁１６とを有する。左壁１６は、撮影室１０内に出入りするための出入り口１７を有し、出入り口１７を挟んで前左壁１６ａと後左壁１６ｂとからなる。出入り口１７は、上壁１３に吊り下げられたカーテン１９によって塞がれている。なお、出入り口は、右壁１５にも形成し、装置本体２の両側から出入りできるようにしても良いのは勿論である。前壁１１、後壁１２、上壁１３、右壁１５及び左壁１６は、鋼板、合成樹脂板で形成されている。
【００１７】
なお、撮影室１０は、上記材質に限定されるものではない。例えば、鋼板、合成樹脂板等の硬質素材で形成された前壁１１の周りを板状部材で枠組みし、当該板状部材に布、ビニール等の柔軟部材を張り付けて、後壁１２、上壁１３、右壁１５及び左壁１６を形成しても構わない。
【００１８】
後左壁１６ｂの下端と右壁１５の下端には、底壁２１が設けられている。底壁２１には、椅子装置２２が設けられている。椅子装置２２は、伸縮可能な軸部材２３と、軸部材２３の上端に設けられた台座２５とを有する。台座２５は、後壁１２、右壁１５，後左壁１６ｂに僅かな隙間を有する程度の大きさに形成され、前部に柵部材２６が取り付けられている。柵部材２６は、台座２５の前部に回動可能に取り付けられ、上方に回動すると台座２５の前部を閉じて柵となり、下方に回動すると台座２５の前部を開いて、台座２５に人が座り易くなる。通常、柵部材２６は、撮影時に写って動物や幼児の撮影の妨げとなることがないように、また台座２５に人が座り易いように、下方に回動している。しかし、動物が台座２５から降りてしまいそうな場合とか、幼児が落ちてしまいそうな場合には、柵部材２６を上方に回動し、そのような場合を回避させることができる。
【００１９】
また、台座２５は、後部上面に掛止部材３２が設けられている。掛止部材３２は、逆Ｊのフック状に形成されており、台座２５に固定して取り付けられている。当該掛止部材３２は、動物用のひも、鎖、リード等が引っ掛けられるようになっており、動物が台座２５から飛び出ることを阻止する。なお、掛止部材３２は、上記形状に限定されるものではなく、略コ字状等種々変更可能であり、取付位置も台座２５に限定されず、撮影室１０内の少なくとも一側に取り付けられていれば良い。また、台座２５には、台座シート３３が着脱可能に設けられている。台座シート３３は、ウレタン、スポンジ、ゴム等の弾性素材で形成されていため、摩擦抵抗が大きく、被写体Ａを載せても滑ることがない。なお、台座シート３３は、台座２５に固定されていないので、汚れた場合に簡単に取り替えることができる。
【００２０】
椅子装置２２は、底壁２１に固定せず、下部にキャスターを取り付けて、前後移動可能にしても構わない。係る場合、台座２５の左右両側部に、動物が飛び出ないようにするためのガード板２７、２８を設けても良い。上記説明で理解できるように、この椅子装置２２は、撮影室１０の後方に配置される。
【００２１】
撮影室１０の後部には、後壁１２の模様を変え且つ被写体Ａの背景となる二つのロールスクリーン３０，３１が設けられている。ロールスクリーン３０，３１は、後壁１２に沿って引き出され、且つ巻き取られるようになっている。
【００２２】
撮影室１０内側の前壁１１下部には、略台形体状の下部取付枠３５が設けられている。下部取付枠３５内の上部には、デジタルカメラ等の撮影機４０が設けられている。当該撮影機４０は、連写が可能な機能を備えている。下部取付枠３５は、上部に傾斜壁３６が形成され、当該傾斜壁３６にはハーフミラー３７が嵌め込まれている。前記撮影機４０は、ハーフミラー３７を介して撮影室１０内の被写体Ａを撮影することができるようになっている。傾斜壁３６には、撮影機４０の操作ボタン部４１が形成されている。
【００２３】
撮影室１０内側の前壁１１上部には、上部取付枠５５が設けられている。上部取付枠５５内には、被写体Ａに向かって光を照らす蛍光灯等の照明器具５６が取り付けられている。なお、下部取付枠３５にも、被写体Ａに向かって光を照らす蛍光灯等の照明器具５７が取り付けられている。本実施の形態では、照明器具が上部と下部に取り付けられているが、上部のみ又は下部のみでも良く、照明器具の取付位置は、特に限定されるものではない。  
【００２４】
撮影室１０外側の前壁１１下部には、前記下部取付枠３５と略同じ高さの略台形体状の操作台６０が設けられている。操作台６０は、上面６１が手前側に向かって下降傾斜しており、上面６１にタッチパネル式液晶画面６２が設けられている。タッチパネル式液晶画面６２には、前記撮影機４０によって撮影された画像を表示する表示部、撮影機４０を操作する操作ボタン部、画像や、その周囲に文字、絵等を入力可能な入力部が形成されている。また、操作台６０内部には、撮影された画像をプリントアウトする印刷部５０が設けられている。
【００２５】
また操作台６０の上面６１であって、タッチパネル式液晶画面６２の左側には、発音玩具６５が着脱可能に取り付けられている。発音玩具６５は、空気笛式、電子音式等特に限定されるものではない。さらに、タッチパネル式液晶画面６２の右側には、タッチパネルに文字、絵等の情報を入力する入力ペン６６が着脱可能に取り付けられている。操作台６０の前面６７には、コイン投入口６８、コイン返却口６９及び印刷部５０によってプリントアウトされた写真を取り出す取出口７０が形成されている。
【００２６】
前壁１１の下部取付枠３５と上部取付枠５５の間には、略矩形状に切り欠かれた窓４５が形成されている。窓４５は、操作台６０の上方に位置する。窓４５は、撮影者Ｍが操作台６０の前に立って操作する時に、撮影者Ｍ（被写体Ａ）が被写体Ａ（撮影者Ｍ）を視認することができる位置に設けられている。窓４５には、ガラス、硬質合成樹脂等の透過性を有する板状部材４６が嵌め込まれている。板状部材４６は、有色でも無色でも構わないが、絵、文字等の目印４７を設けておくことが望ましい。
【００２７】
プリント装置１は、コイン投入口６８に所定のコインを投入すると、撮影可能な状態となる。図２に示すように、出入り口１７から犬等の動物Ａを入れ、台座２５に載せる。台座２５から動物Ａが飛び出しそうな場合には、柵部材２６を立ち上げる。椅子装置２２の軸部材２３を伸縮させ、台座２５の高さを調節する。ロールスクリーン３０又は３１を引き出して好みの背景を選択する。撮影者Ｍ（飼い主）は、操作台６０の前に立ち、窓４５を通して、台座２５の上に載っている動物Ａに声を掛ける。動物Ａは、窓４５を介して、撮影者Ｍ（飼い主）を見ることができるので、安心して座っている。
【００２８】
動物Ａの映像は、撮影機４０を介してタッチパネル式液晶画面６２の表示部に表示される。撮影者Ｍは、タッチパネル式液晶画面６２に表示された操作ボタン部の複数の操作ボタンを操作することにより、撮影機４０のズームを変更し、撮影機４０の撮影を行うことができる。撮影中にじっとしていない動物や幼児には、撮影機４０の連写機能を使用して連写すると、ベストショットを撮影することも可能である。撮影された画像は、タッチパネル式液晶画面６２の表示部に表示される。撮影された画像が複数の場合には、所望する画像を選択して表示部に表示させる。次に、タッチパネル式液晶画面６２に表示された複数の枠から、所望する枠を選択し、入力ペン６６によって入力部に文字、絵等を書き込み、操作ボタンを操作することにより、印刷部５０によって撮影された画像がプリントアウトされ、当該画像プリントが取出口７０に供給される。なお、プリント装置１は、プリントアウト時に、コイン投入口６８にコインを投入する方式であっても構わない。
【００２９】
また、図３に示すように、撮影者Ｍは、膝の上に動物Ａを載せて撮影することも可能である。出入り口１７から入って台座２５に座り、犬等の動物Ａを膝に載せる。なお、柵部材２６は、立ち上げると撮影者Ｍが座れないので、下方に回動させたままである。
【００３０】
撮影者Ｍは、ハーフミラー３７を介して撮影画像を確認することができる。撮影者Ｍは、操作ボタン部４１を操作することにより、撮影機４０のズームを変更し、撮影機４０の撮影を行うことができる。撮影された画像は、タッチパネル式液晶画面６２に表示される。次に、タッチパネル式液晶画面６２に表示された複数の枠から、所望する枠を選択し、入力ペン６６によって入力部に文字、絵等を書き込み、操作ボタンを操作することにより、印刷部５０によって撮影された画像がプリントアウトされ、当該画像プリントが取出口７０に供給される。
【００３１】
なお、操作台６０の上面６１のタッチパネル式液晶画面６２近傍にマイク７５を設け、下部取付枠３５の傾斜壁３６の撮影機４０近傍にスピーカ７６を設けても良い。このようにすると、撮影者Ｍ（飼い主）の声が動物Ａに確実に届き、しかも撮影機４０側から声が聞こえてくるので、撮影機４０の方に動物Ａの顔を向けさせることができる。また、発音玩具６５を利用して、動物Ａの注意を引くこともできる。上記実施の形態では、被写体を動物として説明したが、プリント装置１は、被写体が幼児であっても動物と同様に撮影者（親）が幼児に安心感を与え、泣かせることなく撮影することができる。
【図面の簡単な説明】
【００３２】
【図１】本願発明に係るプリント装置の一つの実施の形態を示す全体斜視図である。
【図２】図１のプリント装置の側面断面図である。
【図３】図１を別の角度から視たプリント装置の透視斜視図である。
【符号の説明】
【００３３】
Ａ  被写体（動物  幼児）
Ｍ  撮影者（飼い主  親）
１  プリント装置
２  装置本体
１０  撮影室
１１  前壁
１２  後壁
１３  上壁
１５  右壁
１６  左壁
１７  出入り口
１６ａ  前左壁
１６ｂ  後左壁
１９  カーテン
２１  底壁
２２  椅子装置
２３  軸部材
２５  台座
２６  柵部材
２７  ガード板
２８  ガード板
３０  ロールスクリーン
３１  ロールスクリーン
３２  掛止フック
３３  台座シート
３５  下部取付枠
３６  傾斜壁
３７  ハーフミラー
４０  撮影機
４１  操作ボタン部
４５  窓
４６  板状部材
４７  目印
５０  印刷部
５５  上部取付枠
５６  照明器具
５７  照明器具
６０  操作台
６１  上面
６２  タッチパネル式液晶画面（操作部  表示部）
６５  発音玩具
６６  入力ペン
６７  前面
６８  コイン投入口
６９  コイン返却口
７０  取出口
７５  マイク
７６  スピーカ（発声手段）
【図１】
2007212573.tif 000003
【図２】
2007212573.tif 000004
【図３】
2007212573.tif 000005